(57)【要約】【解決手段】シートクッションにシートカバーを取り付けるためのクリップは、シートカバーに固定されるように構成されたロック部と、ロック部に接続され、且つシートクッションのワイヤに固定されるように構成されたフックと、を備え、フックは、ワイヤ保持空洞部を画成する。【選択図】図１
2018183568.tif 000002
【特許請求の範囲】
【請求項１】
シートクッションにシートカバーを取り付けるためのクリップであって、
前記シートカバーに固定されるように構成されたロック部と、
前記ロック部に接続され、且つ前記シートクッションのワイヤに固定されるように構成されたフックと、を備え、
前記フックは、ワイヤ保持空洞部を画成する、クリップ。
【請求項２】
前記クリップは、回転防止特徴物を更に備え、
前記回転防止特徴物は、前記クリップの前記ワイヤ保持空洞部内に配置されたワイヤが前記クリップのＸ軸方向、Ｙ軸方向、及びＺ軸方向に対して回転することを防止するように構成されている、請求項１に記載のクリップ。
【請求項３】
前記クリップは、回転防止特徴物を更に備え、
前記回転防止特徴物は、前記クリップの前記ワイヤ保持空洞部内に配置されたワイヤが前記クリップのＸ軸方向、Ｙ軸方向、及びＺ軸方向のいずれか１つから約１０度を越えて回転することを防止するように構成されている、請求項１に記載のクリップ。
【請求項４】
前記ロック部から延びているガイドを更に備え、
前記ガイドは、Ｚ軸方向に延在する第１脚部と、前記第１脚部から延在している第２脚部と、を含む、請求項２又は３に記載のクリップ。
【請求項５】
前記回転防止特徴物は、前記クリップの前記ロック部及び前記フックの少なくとも１つに設けられる、請求項２又は３に記載のクリップ。
【請求項６】
前記回転防止特徴物は、前記クリップの前記ロック部、前記フック、及び前記ガイドの少なくとも１つに設けられる、請求項４に記載のクリップ。
【請求項７】
前記回転防止特徴物は、前記ガイドの前記第２脚部の下面に設けられる、請求項４に記載のクリップ。
【請求項８】
前記回転防止特徴物は、前記フックから延び、
前記回転防止特徴物の左右方向の寸法は、前記フックの前記ワイヤ保持空洞部の左右方向の寸法よりも大きい、請求項５又は６に記載のクリップ。
【請求項９】
前記回転防止特徴物は、前記フックから延び、
前記回転防止特徴物は、前記フックの前記ワイヤ保持空洞部の位置に形成される、請求項５、６、８のいずれか１項に記載のクリップ。
【請求項１０】
前記回転防止特徴物は、前記ロック部から延び、
前記回転防止特徴物の左右方向の寸法は、前記フックの前記ワイヤ保持空洞部の左右方向の寸法よりも大きい、請求項５又は６に記載のクリップ。
【請求項１１】
前記回転防止特徴物は、前記ロック部から延び、
前記回転防止特徴物の左右方向の寸法は、前記ロック部の左右方向の寸法よりも大きい、請求項５、６、１０のいずれか１項に記載のクリップ。
【請求項１２】
前記第２脚部は、左側の第２脚部と右側の第２脚部を有し、
前記回転防止特徴物は、前記右側の第２脚部の下面に設けられる、請求項４に記載のクリップ。
【請求項１３】
前記フックの前記ワイヤ保持空洞部の中心は、前記ロック部の第１中心軸からオフセットされる、請求項１〜１２のいずれか１項に記載のクリップ。
【発明の詳細な説明】
【技術分野】
【０００１】
本開示は、多様性を有する固定クリップに関する。より詳細には、本開示は、車両シート（座席）クッションパッドの内側に配置されたワイヤ上にスナップ嵌めされるように構成された椅子張り用のクリップに関する。
【背景技術】
【０００２】
椅子又は車両シートは、クッション又は柔軟なパッドを含み得て、また、シートカバーにより覆われ得る面を画成し得る。シートカバーは、クッション若しくは柔軟なパッドの表面、又は、椅子若しくは車両シートの背もたれ面、或いはこれの両方を覆い得る。カバーをシートに固定するために、様々な構造及び方法が採用されており、これが、シートの審美的なデザインを維持している。そのような構造の１つは、クッションの溝内に配置されたワイヤと、カバーの縁部に配置されたクリップとを含み、クリップはワイヤに係合されて、カバーをシートに固定する。クリップをカバーの上から、様々な方法から装着することもできるが、この方法では、クリップがワイヤから外れる可能性がある。
【発明の概要】
【課題を解決するための手段】
【０００３】
この概要が、本開示の広範な概説ではないことが理解されよう。この概要は例示的で非限定的であり、本開示の主要な又は重要な要素を特定することも、本開示の範囲を詳述することも意図されていない。この概要の唯一の目的は、後述する完全で広範な詳細な説明への序文として、本開示の幾つかの概念を説明及び例示することである。
【０００４】
一態様において、シートクッションにシートカバーを取り付けるためのクリップが開示される。このクリップは、前記シートカバーに固定されるように構成されたロック部と、このロック部に接続され、且つ前記シートクッションのワイヤに固定されるように構成されたフックと、を備え、フックは、ワイヤ保持空洞部を画成する。
【０００５】
本開示に記載される様々な実施形態は、さらなるシステム、方法、特徴、及び利点を含み得る。これらは必ずしも本明細書に明確に開示されない場合があるが、以下の詳細な説明及び添付図面を検証すれば、当業者に明らかになろう。これらのシステム、方法、特徴、及び利点が本開示内に含まれ、且つ添付の特許請求の範囲により保護されることが意図されている。これらの実施形態の特徴及び利点は、添付の特許請求の範囲において特に指摘されたシステム、方法、特徴により実現され、且つ得られる。これら及びその他の特徴は、以下の説明及び添付の特許請求の範囲から、より十分に明らかになり、或いは、本明細書の以下に記載する例示的な実施形態の実施により得られるであろう。
【０００６】
本明細書に組み込まれ、且つその一部を構成する添付図面は、本開示の複数の態様を例示し、そして、詳細な説明と共に、本開示の様々な原理を説明する役目を果たす。図面は必ずしも等尺で描かれていない。図面全体を通じて、相応する特徴物及び部品は、一貫性及び明瞭性のために、一致した参照符号により示され得る。
【図面の簡単な説明】
【０００７】
【図１】本開示の一態様によるカバー固定クリップの右前面斜視図である。
【図２】図１のカバー固定クリップの左前面斜視図である。
【図３】図１のカバー固定クリップの右側面図である。
【図４】図１のカバー固定クリップの左側面図である。
【図５】図１のカバー固定クリップの前面図である。
【図６】図１のカバー固定クリップの後面図である。
【図７】図１のカバー固定クリップの上面図である。
【図８】図１のカバー固定クリップの底面図である。
【図９】本開示の別の態様によるカバー固定クリップの右前面斜視図である。
【図１０】図１のカバー固定クリップを示す、カバー固定システムの斜視図である。
【図１１】図１のカバー固定クリップの前面図であり、ワイヤがカバー固定クリップ内に捩られた状態で係合されている様子を示す。
【図１２】図１１のカバー固定クリップの前面図であり、図１１のワイヤがカバー固定クリップ内に、図１１に示した状態とは異なるように捩られた状態で係合されている様子を示す。
【図１３】図１のカバー固定クリップの底面図であり、ワイヤがカバー固定クリップ内に捩られた状態で係合されている様子を示す。
【図１４】図１１のカバー固定クリップの底面図であり、図１３のワイヤがカバー固定クリップ内に、図１３に示した状態とは異なるように捩られた状態で係合されている様子を示す。
【図１５】図１１のカバー固定クリップの底面図であり、図１３のワイヤがカバー固定クリップ内に、図１３に示した状態とは別の異なるように捩られた状態で係合されている様子を示す。
【図１６】図１１のカバー固定クリップの底面図であり、図１４のワイヤがカバー固定クリップ内に、図１４に示した状態とは別の異なるように捩られた状態で係合されている様子を示す。
【図１７】図１１のカバー固定クリップの右側面図であり、ワイヤがカバー固定クリップ内に、カバー固定クリップのガイドを開くように捩られた状態で係合されている様子を示す。
【図１８】本開示の一態様によるカバー固定クリップの変形例の左側面図である。
【発明を実施するための形態】
【０００８】
本開示は、以下の詳細な説明、例示、図面、及び特許請求の範囲、並びにその前後の説明を参照することにより、より容易に理解されよう。しかし、本発明の装置、システム、及び／又は方法を開示及び記載する前に、この開示が、別段に特定されない限り、開示された特定の装置、システム、及び／又は方法に限定されるものではなく、従って、当然変化し得ることが理解されよう。また、本明細書で使用する用語が、特定の態様を説明するためのものに過ぎず、限定的であることは意図されていないことも理解されよう。
【０００９】
本開示の以下の説明は、本発明の装置、システム、及び／又は方法の、現在知られている最良の態様での実現可能な教示として提供される。このために、当業者は、本明細書に記載された様々な態様に多くの変更を加えることができ、尚且つ本開示の有益な結果もなお得られることを認識するであろう。また、本開示の望ましい利益の幾つかが、本開示の特徴の幾つかを、その他の特徴を利用せずに選択することにより得られ得ることも明らかであろう。従って、当業者は、本開示に対する多数の改変及び適合が可能であり、また、特定の状況においては望ましくもなり得、且つ、本開示の一部であることを認識するであろう。従って、以下の説明は、本開示の原理の例示として提供されるのであり、これを限定するものではない。
【００１０】
本明細書全体を通じて、用いられる単数形「１つの」（“ａ”、“ａｎ”）及び「その」（“ｔｈｅ”）は、文脈がそうでないことを明らかに示さない限り、複数の対象を含む。従って、例えば、特定の要素のうちの１つの量への言及は、文脈がそうでないことを示さない限り、これらの要素の２つ以上も含み得る。
【００１１】
本明細書において、範囲は、「約」（“ａｂｏｕｔ”）１つの特定の値から、及び／又は「約」（“ａｂｏｕｔ”）別の特定の値までとして示され得る。このような範囲が示される場合、別の態様は、その１つの特定の値から、及び／又は他方の特定の値までを含む。同様に、値が近似値として示される場合、前置詞「約」又は「ほぼ」（“ｓｕｂｓｔａｎｔｉａｌｌｙ”）の使用により、特定の値が別の態様を形成することが理解されよう。更に、範囲の各々の端点は、他方の端点に関連していても、他方の端点とは独立であっても、これらの両方において重要であることが理解されよう。
【００１２】
本開示に関し、材料特性又は寸法の、特定の測定尺度による測定値「約Ｘ」又は「ほぼＸ」は、Ｘプラス特定された測定値の業界標準許容値上限と、Ｘマイナス特定された測定値の業界標準許容値下限との間の範囲内にある。異なる材料、プロセス間、及び、異なるモデル間で許容値が変化するため、特定の構成要素の特定の測定値は、許容値の範囲内にある。
【００１３】
本明細書で使用する用語「任意選択的な」（“ｏｐｔｉｏｎａｌ”）又は「任意選択的に」（“ｏｐｔｉｏｎａｌｌｙ”）は、その後に説明する事象又は状況が発生してもしなくてもよいこと、そして、その説明が、前記事象又は状況が発生する場合及び発生しない場合の例を含むことを意味する。
【００１４】
本明細書で使用する用語「又は」（“ｏｒ”）は、特定のリストのうちの任意の１つの要素を意味し、また、そのリストの要素の組合せも含む。
【００１５】
一態様において、カバー固定クリップ、及び関連する方法、システム、装置、並びに、様々な装置を本明細書に開示する。一態様において、カバー固定クリップは、ロック（係止）爪部及びフックを備え得る。
【００１６】
以下に、カバー固定クリップ１００を、図１〜図１０に示されているＸＹＺ方向の座標軸に基づいて説明する。Ｘ軸方向を、左右方向又は水平方向と称し得る。例えば、Ｘ軸方向は、クッション３０（図１０参照）の溝３４（図１０参照）内に配置されたワイヤ３６（図１０参照）の延在方向に一致し得る。これらの方向は、横方向軸１１７（図３参照）によっても示される。更に、Ｘ軸方向は、カバー３２（図１０参照、後述する）の縁部の延在方向にも一致している。また、Ｘ軸方向は、ロック端部材４２（図１０参照）の縁部の延在方向にも一致し得る。
【００１７】
上下方向は、Ｘ軸方向及びＹ軸方向に直交するＺ軸方向であり、一般的に、クッション３０の深さ方向に一致する。例えば、ロック端部材４２をクッション３０の溝３４内に挿入してワイヤ３６にロックし得る方向を、Ｚ軸方向と称し得る。また、この上下方向は、クッション３０上に張られるカバー３２の面に垂直な方向に一致する。
【００１８】
Ｙ軸方向は、Ｘ軸方向（左右方向）及びＺ軸方向（上下方向）に対して直交し、前後方向とも称され得る。前後方向に平行な構造要素の面を、側面と称し得る。
【００１９】
図１〜図８は、カバー固定クリップ１００を示す。図１及び図２に示すように、カバー固定クリップ１００は、ロック部１１０を備え得る。ロック部１１０は、ロック爪ベース部１４０と、１対のロック爪１２０，１３０とを含み得る。ロック爪１２０，１３０は、互いに向き合うように形成されたアーム１２８，１３８を備え得る。アーム１２８，１３８のベース端部（ロック爪１２０，１３０のベース端部でもある）は、ロック爪ベース部１４０の上面１４２の両側から一体的に形成され得る。ロック爪ベース部１４０は、更に、下面１４４ａ，１４４ｂ（図３参照）を含み得る。下面１４４ａ，１４４ｂは、図示のように、上面１４２に対向する方向に面し得る。下面１４４ａ，１４４ｂは、図３に示されているように、互いからずらして配置され得る。カバー固定クリップ１００は、合成樹脂を用いて一体成形され得る。
【００２０】
ロック爪１２０，１３０は、上面１４２から上方に突出でき、且つ、上面１４２に対して角度付けされ得る。また、ロック爪１２０，１３０は、前後方向（すなわちＹ軸方向）に形成された間隙が、上面１４２からの正のＺ軸方向距離が増すにつれてより大きくなるように形成され得る。ロック爪１２０，１３０の先端部１２２，１３２は、それぞれ内側に、すなわち、互いに向い合う方向に曲げられることができ、且つ、互いに向かって、及び、ロック溝の鉛直軸（すなわち、第１中心線軸１０１（図３参照））に向かって延在する。先端部１２２，１３２の各々は、ロック爪ベース部１４０に面したロック面１２４，１３４（図３参照）を含み得、且つ、ロック端部材４２（図１０参照）にロックされるように構成され得る。ロック面１２４，１３４の各々は、ロック爪ベース部１４０の上面１４２に対してほぼ平行に形成され得る。以下に、より詳細に説明するように、ロック端部材４２は、１対のロック爪１２０，１３０とロック爪ベース部１４０とにより係合され得る。
【００２１】
さらに、カバー固定クリップ１００のロック爪１２０，１３０のアーム１２８，１３８は、内面１２６，１３６（内面１２６は図３参照）を含み得る。内面１２６，１３６は互いに向き合うことができ、内面１２６，１３６から１対のロックタブ１６０，１７０（ロックタブ１６０は図３参照）が延在し得る。ロックタブ１６０，１７０は、カバー固定クリップ１００のロック爪１２０，１３０のそれぞれの内面１２６，１３６から延在する突起であり得、カバー固定クリップ１００の第１中心線軸１０１（図３参照）を中心とし得る。ロックタブ１６０，１７０は、ロック端部材４２（図１０参照）のロック溝４４（図１０参照）内に嵌合する寸法につくられ得る。内面１２６，１３６はロック溝１１６を画成でき、ロック溝１１６は、ロック端部材４２を受け入れる寸法につくられ得る。さらに、カバー固定クリップ１００は、第１突出部１５０を含み得る。第１突出部１５０は、ロック爪ベース部１４０、ロック爪１３０、又はその両方から下方に突出し得る。
【００２２】
さらに、カバー固定クリップ１００は、フック２００を含み得る。フック２００は、ロック部１１０から、下面１４４ａ，１４４ｂよりも下に延在している。一態様において、図示のように、フック２００とロック爪１３０との交差部が、ロック爪１３０の、下面１４４ａ，１４４ｂに隣接した下端から、ロック爪１３０の、先端部１３２に隣接した上端に延在し得る。別の態様において、フック２００は、カバー固定クリップ１００の別の部分（例えば、限定はしないが、下面１４４ａ，１４４ｂ）から延在し得る。フック２００は、下方に遠ざかる方向に延在する延在部２１０と、延在部２１０の下端から前方に、ロック部１１０から遠位方向に曲げられた前方フック２２０と、を含み得る。前方フック２２０は、ロック部１１０に向けて傾斜され得る。前方フック２２０は、ロック爪ベース部１４０に向かって上方に傾斜されることができ、傾斜面を画成し得る。延在部２１０と前方フック２２０とが、ワイヤ保持空洞部１７を画成し得る。ワイヤ保持空洞部１７は、ワイヤ３６を受け入れる寸法につくられたＵ字状の溝であり得る（図４参照）。
【００２３】
前方フック２２０は、ベース２３０と、ベース２３０から延在する爪部２４０と、を含み得る。爪部２４０は、ベース２３０の前向き面及び下向き面に対して角度付けられたガイド面２３を画成し得る。また、ガイド面２３は、ガイド３００の第２脚部３２０に対しても角度付けられている。これに関連しては後述する。爪部２４０の前向き且つ上向きのガイド面２３は、ワイヤ保持空洞部１７内にワイヤ３６が入っていく（図４参照）ことを容易にするように構成され得る。さらに、前方フック２２０は、図示のように後方に延在する逆フック２５０を含み得る。
【００２４】
さらに、カバー固定クリップ１００は、ショルダ２６０を含み得る。ショルダ２６０は、カバー固定クリップ１００の後側を横切って左方から右方に延在し、その後側を少なくとも部分的に画成している。図示のように、ショルダ２６０は、カバー固定クリップ１００の左側及び右側、すなわち両端部から延在し得る。より具体的には、ショルダ２６０は、図示のように、ロック部１１０から、フック２００から、又は、その両方から延在し得る。一態様において、図示のように、ショルダ２６０は、カバー固定クリップ１００の最上面からワイヤ保持空洞部１７の最底面まで延在し得る。別の態様において、ショルダ２６０は、カバー固定クリップ１００の最下面まで延在してもよく、或いは、カバー固定クリップ１００の最上面より手前を終端とし得る。ショルダ２６０の左右方向の寸法は、フック２００のワイヤ保持空洞部１７の左右方向の寸法よりも大きい。また、ショルダ２６０は、フック２００のワイヤ保持空洞部１７の位置に形成され得る。カバー固定クリップ１００は、ロック爪ベース部１４０とフック２００の延在部２１０との間に延在するガセット２７０を含み得る。カバー固定クリップ１００は、フック２００の延在部２１０又はショルダ２６０から延在する第２突出部２８０を含み得る。ショルダ２６０、ガセット２７０、及び第２突出部２８０の全ては、ワイヤ３６がカバー固定クリップ１００に対して向けられるべき向きにてワイヤ３６に干渉しないように構成され得る。
【００２５】
さらに、カバー固定クリップ１００は、ガイド３００を含み得る。ガイド３００は、ロック部１１０の一部（例えば、ロック爪１２０）から延在し得る。ガイド３００は、ロック爪１２０からほぼ鉛直方向、すなわちＺ軸方向に延在する第１脚部３１０と、第１脚部３１０から延在している第２脚部３２０と、を含み得る。第１脚部３１０は、ロック部１１０に接続部３０５を介して接続され得る。接続部３０５は、Ｚ軸方向から角度付けられることができ、また、接続部３０５がロック部１１０と交差する場所にフィレット（隅肉）を含み得る。接続部３０５と第１脚部３１０との間の交差部の内縁と外縁は、第１脚部３１０の、接続部３０５又はロック部１１０に対する曲げを容易にするために半径方向に傾斜され得る。同様に、第１脚部３１０と第２脚部３２０との間の交差部の内縁と外縁も、第２脚部３２０の、第１脚部３１０、接続部３０５又はロック部１１０に対する曲げを容易にするために半径方向に傾斜され得る。第２脚部３２０は、第１脚部３１０の遠位端にある先端３３０と、第２脚部３２０の下面にある傾斜部３４０と、を含み得る。ガイド３００の第２脚部３２０とフック２００の前方フック２２０との間の間隙が、ワイヤ３６が挿入され得るワイヤ挿入口２７（図３参照）になり得る。
【００２６】
図２に示すように、カバー固定クリップ１００の左側１００ａ（図５参照）に存在する特徴物の幾つかは、カバー固定クリップ１００の右側１００ｂ（図５参照）に存在する対応する特徴物と、同一ではないが類似であり得る。例えば、ショルダ２６０及びロック爪１２０，１３０は、カバー固定クリップ１００の各側１００ａ，１００ｂにて、幾つかの点で、同一ではないが類似であり得る。しかし、以下に説明するように、左側１００ａは、幾つかの特徴物が完全に欠落しているか、或いは、右側１００ｂに組み込まれた特徴物と著しく異なっている場合がある。例えば、限定はしないが、ロック爪ベース部１４０により画定される厚さが、上面１４２から下面１４４ａ、１４４ｂの各々までの厚さとは異なり得る。また、ガイド３００の第２脚部３２０が、右側１００ｂにおいてはさらに長く延在し得る。さらに、その他の異なる点が、ショルダ２６０（例えば、図６に示すレリーフ２６５）及びロック爪１２０，１３０（例えば、テーパ角７０５を画定しているテーパ７００、図７参照）に見られる。最後に、爪部２４０は、左側１００ａにのみ存在し得る。
【００２７】
以下に、より詳細に説明するように、カバー固定クリップ１００の様々な面及び／又は縁部を用いて、ワイヤ保持空洞部１７内の又はそこからのワイヤ３６の回転又はその他の運動を抑制又は防止できる。例えば、限定はしないが、ロック爪ベース部１４０は、それぞれ、下面１４４ａ，１４４ｂのエッジ１１４０ａ，１１４０ｂを画成できる。同様に、ショルダ２６０ａ，２６０ｂは、それぞれ、エッジ１２６０ａ，１２６０ｂを画成できる。前方フック２２０ａ，２２０ｂは、それぞれ、エッジ１２２０ａ，１２２０ｂを画成でき、左側の第２脚部３２０ａはエッジ１３２０ａを画成でき、傾斜部３４０はエッジ１３４０ｂ（図１参照）を画成でき、そして、爪部２４０は、エッジ１２４０ａ，１２４０ｂを画成できる。これらのエッジの全てが明確に特定される必要はない。なぜなら、カバー固定クリップ１００内のワイヤ３６の位置及び向きの個数は無限であり、また、カバー固定クリップ１００の形状は複雑だからである。
【００２８】
図３及び図４に示すように、ワイヤ保持空洞部１７の下部の中心は、ロック部１１０の第１中心線軸１０１から後側（延在部２１０側）にオフセット距離２９０だけオフセットされ得る。ショルダ２６０、ガセット２７０、第１突出部１５０、第２突出部２８０が、ワイヤ保持空洞部１７の半径方向の最内側面を滑らかに画成できている。これは、カバー固定クリップ１００の右側１００ｂ又は左側１００ａを側方から見たときに確認される。前方フック２２０は、右側１００ｂに、ベース２３０を含む前方フック２２０ｂを含むことができ、そして左側１００ａに、ベース２３０及び爪部２４０の両方を含む前方フック２２０ａを含み得る。図示のように、リブ２５６が、逆フック２５０とショルダ２６０との間に延在することができ、これにより、例えばシートカバーを補修のために取り外す必要がある場合、カバー固定クリップ１００をワイヤ３６から取り外すためのツール（不図示）の使用が容易になり得る。ロック爪ベース部１４０及び第１突出部１５０が、凹部１８０を画成し得る。凹部１８０は、ガイド３００の第２脚部３２０の先端３３０をさらに回転させることを可能にする寸法につくられ得る。第２脚部３２０の傾斜部３４０は、前後方向すなわちＹ軸方向から角度付けられた下面と、鉛直方向すなわちＺ軸方向から角度付けられた後面と、を含み得る。同様に、先端３３０は、鉛直方向から角度付けられた後面を含み得る。
【００２９】
ワイヤ挿入口２７は、カバー固定クリップ１００が自然な曲げられていない状態において、ワイヤ３６の直径Ｄ（図１７参照）よりも小さくつくられ得る。ガイド３００（具体的には、ガイド３００の第２脚部３２０の下面）が、フック２００に向かって延在するガイド面２２を含み得る。フック２００の前方フック２２０が、ガイド３００に向かって延在するガイド面２３を画成し得る。フック２００及びガイド３００は、ワイヤ挿入口２７を終端とする先細状の間隙をガイド面２２，２３が画成するように形成され得る。こうして、三角形状の入口通路が形成され得る。これにより、ワイヤ３６を挿入するとき、ワイヤ３６をワイヤ保持空洞部１７内に滑らかにガイドすることが可能である。同時に、ワイヤ３６がワイヤ保持空洞部１７からの偶発的に飛び出すことを防止することも可能であり、これに関しては、カバー固定クリップ１００の構成に基づいて以下に説明する。例えば、ガイド３００の先端３３０とフック２００の延在部２１０との間の間隙を、ワイヤ３６の直径Ｄよりも小さくし、これにより、ワイヤ３６の移動をさらに制限することが可能である。図示のように、第２脚部３２０は、左側１００ａの第２脚部３２０ａと右側１００ｂの第２脚部３２０ｂを有する。カバー固定クリップ１００の右側１００ｂの第２脚部３２０ｂは、先端３３０まで延在でき、傾斜部３４０を含み得る。一方、カバー固定クリップ１００の左側１００ａの第２脚部３２０ａは、第２脚部３２０ａが前方フック２２０ａを前方フック２２０ａ上で直接覆わないように、これより手前で終端となり得る。このようにして、第２脚部３２０ａは、ロック爪ベース部１４０の下面１４４ｂに干渉しないようにつくられ得る。
【００３０】
図５〜図８は、それぞれ、カバー固定クリップ１００の前面図、後面図、上面図、及び底面図を示し、各図が、カバー固定クリップ１００の左側１００ａ及び右側１００ｂを、第１中心線軸１０１に沿って分割された部分として（図５及び図６）、又は、第２の中心線軸１０２に沿って分割された部分として（図７及び図８）示している。一態様において、図５に示すように、爪部２４０は左側１００ａにのみ配置することができ（すなわち、右側１００ｂにはない）、先端３３０及び傾斜部３４０は右側１００ｂにのみ配置することができる（すなわち、左側１００ａにはない）。組立てを容易にし、また、ワイヤ３６が偶発的に外れることを防止するために、左右のその他の差異をその他の特徴に組み込むことができ、これらは、前方フック２２０ａ，２２０ｂの差異、第２突出部２８０ａ，２８０ｂの差異、ショルダ２６０ａ，２６０ｂの差異（図５及び図６参照）、及び、逆フック２５０ａ，２５０ｂの差異（図６参照）に反映されている。更なる差異が、図７のロック溝１１６ａ，１１６ｂ、及び、図８の逆フック２５０ａ，２５０ｂにおいて明らかである。また、図５及び図８には、ガイド３００の、左側１００ａに対するわずかなオフセットも示されている。
【００３１】
図９に示すように、カバー固定クリップ１００は、先に記載した特徴物（例えば、ロック部１１０、フック２００、及びガイド３００）を含み得るが、これらのいずれも、そして、カバー固定クリップ１００のその他の特徴物も、所望のように変更された形状を有し得る。図示のように、前方フック２２０は、１対の爪部２４０ａ，２４０ｂを含むことができ、これらの一方が、前方フック２００の各側に存在する。また、ガイド３００の第２脚部３２０が、１対の爪部２４０ａ，２４０ｂ間に、水平方向又はＸ軸方向に対して延在し得る。１対の爪部２４０ａ，２４０ｂの各々は、ワイヤ保持空洞部１７内に挿入されたワイヤ３６の位置を維持するように構成される歯に類似し得る。前方フック２２０は凹部２２５を画成でき、凹部２２５は、図示のように、貫通穴であり得る。同様に、延在部２１０及び前方フック２２０は凹部２１５を画成でき、凹部２１５は図示のように、貫通穴であり得る。凹部は、限定はしないが、例えば、カバー固定クリップ１００の重量（従って、コストも）を低減でき、また、より厚いセクション（成形プロセス中に、特には、冷却又は硬化プロセス中に変形し得る）を低減又は排除することにより、カバー固定クリップ１００の製造を容易にできる。図示のように、１対の爪部２４０ａ，２４０ｂを、これらの一方がカバー固定クリップ１００の各側にあるように対称的に配置することにより、ワイヤ３６がワイヤ保持空洞部１７内で捩れ得る角度を最小限にできる。また、ショルダ２６０は、ロック部１１０から延在し得る。また、ショルダ２６０の左右方向の寸法は、フック２００のワイヤ保持空洞部１７の左右方向の寸法よりも大きい。また、ショルダ２６０の左右方向の寸法は、ロック部１１０の左右方向の寸法よりも大きい。
【００３２】
カバー固定クリップ１００を使用する方法を、図１０を参照して説明する。図示のように、カバー固定クリップ１００は、カバー３２を、カバー固定システム９０のためのクッション３０の表面の予め決められた位置まで張り伸ばすために用いられ得る。カバー固定システム９０は、車両シート又はその他のパネルの一部を構成でき、これらのわずかな一部のみが図示されている。クッション３０は、合成樹脂発泡材料（例えば、発泡ポリウレタン）から、座席の形状に形成され得る。クッション３０は溝３４を画成でき、ワイヤ３６が溝３４内に配置され得る。ワイヤ３６は、多数の材料（例えば、金属を含むがこれに限定されない）の任意の１つから形成することができ、クッション３０に、所定のプロセス（例えば、インサート成形であるがこれに限定されない）により組み込まれ得る。一態様において、ワイヤ３６の直径Ｄは、約２．０ｍｍの値であり得る。別の態様において、ワイヤ３６の直径Ｄは、２．０ｍｍ未満又は２．０ｍｍより大きい値であり得、これらの寸法に適合するようにカバー固定クリップ１００の寸法を調整できる。
【００３３】
カバー３２は、クッション３０の表面を覆うように構成された少なくとも１つのパネルを含み得る。カバー３２は、所定の材料（例えば、合成樹脂、布、又は皮革であるがこれらに限定されない）から形成され得る。カバー３２は、クッション３０の溝３４に対応する部分にシーム部３８を含み得る。シーム部３８は、１対のカバー３２の端部を互いに対向させて位置合わせさせ、そして、これらをロックテープ４０に、重なりジョイントを用いて縫い付けることにより形成され得る。一態様において、シーム部３８に対向するロックテープ４０の側縁をロック端部材４２と一体的に形成できる。別の態様において、ロックテープ４０の側縁とロック端部材４２とを別々に形成し、その後、互いに結合できる。ロック端部材４２は、所定の材料（例えば、限定はしないが、合成樹脂）から形成されることができ、ほぼＶ字形の断面を有することができ、ロックテープ４０の長手方向に沿って形成され得る。ロック端部材４２は、ロックテープ４０に、ロックテープ４０の一方の側縁をインサート成形することにより取り付けられ得る。ロック端部材４２は、カバー固定クリップ１００の１対のロック爪１２０，１３０内に嵌合する寸法につくられることができ、ロックテープ４０の長手方向に沿ってロック溝４４を有して等距離に形成され得る。ロック溝４４は、カバー固定クリップ１００のロックタブ１６０がその内部に挿入され得る幅及び深さを画定し得る。
【００３４】
カバー固定クリップ１００を使用する方法は、カバー３２をクッション３０上に張るステップを含み得る。最初に、カバー固定クリップ１００を、カバー３２に取り付けられたロックテープ４０のロック端部材４２の任意の所望の位置に取り付けることができる。複数のカバー固定クリップ１００を、ロック端部材４２の長手方向に沿って等距離に、或いは、任意の所望の可変間隔で取り付けることができる。複数のカバー固定クリップ１００の各々をロック端部材４２に、ロック端部材４２をカバー固定クリップ１００の１対のロック爪１２０，１３０の間に押し込むことにより取り付けることができる。１対のロック爪１２０，１３０は、ロック端部材４２がこれらの爪部の間を通過するように弾性変形するように形成され得る。ロック端部材４２がロック部１１０の内側に完全に係合すると、ロック爪１２０，１３０はそれらの元の位置に戻ることができる。より詳細には、１対のロック爪１２０，１３０の先端部１２２，１３２が、ロック端部材４２の上部をシーム部３８に面して覆うことができ、そして、ロック端部材４２は１対のロック爪１２０，１３０間に固定されることができ、これらの爪部から外れることはない。これと同じ組立プロセスにて、ロック爪１２０，１３０のロックタブ１６０，１７０が、ロック端部材４２のロック溝４４内に受け入れられることができ、こうして、複数のカバー固定クリップ１００の各々をロック端部材４２の長手方向に沿った、予め決められた位置に固定し又は止め付けることができる。
【００３５】
カバー３２のシーム部３８を、シーム部３８に取り付けられたカバー固定クリップ１００と共に、クッション３０の溝３４に位置合わせさせ得る。カバー固定クリップ１００のフック２００をワイヤ３６に接触させ、その後、何らの物体（例えば、限定はしないが、指又は設置ツール（いずれも不図示））を用いて押し得る。カバー固定クリップ１００の構造及び設置方法、並びにその他の情報は、２０１６年９月１５日に公開された米国特許出願公開第２０１６／０２６４０３０号に記載されている。この公報の全てを援用して本文の記載の一部とする。カバー固定クリップ１００は、ワイヤ３６がワイヤ挿入口２７に位置合わせされるように配置され得る。カバー固定クリップ１００をワイヤ３６に押し付けると、ワイヤ３６がワイヤ挿入口２７のガイド面２２，２３にガイドされ得る。カバー固定クリップ１００を更にクッション３０の溝３４内に押し込むと、ワイヤ３６を、ワイヤ挿入口２７に面するガイド面２２，２３により画成された入口通路内に配置でき、それにより、ワイヤ挿入口２７にガイドできる。
【００３６】
ワイヤ挿入口２７は、ワイヤ３６が現状のままでは通過できないようにワイヤ３６の直径Ｄよりも小さくつくられ得る。むしろ、カバー固定クリップ１００を上方から押圧すると、ガイド３００は、ワイヤ挿入口２７がワイヤ３６の直径Ｄ以上の幅広さになるように弾性変形され得る。こうして、ワイヤ３６を、ワイヤ挿入口２７を通過させてワイヤ保持空洞部１７に入れることができる。ワイヤ３６がワイヤ保持空洞部１７内に入った後、弾性変形されたガイド３００は、その元の形状に戻ることができ、ワイヤ挿入口２７は幅狭の状態に戻ることができ、従って、ワイヤ３６がカバー固定クリップ１００から外れることが防止される。これにより、カバー固定クリップ１００をワイヤ３６にロックでき、カバー固定クリップ１００に取り付けられたカバー３２をクッション３０の表面に、カバー３２の縁部が溝３４内に導入された状態で取り付けることができる。
【００３７】
図１１〜図１７は、ワイヤがカバー固定クリップ１００内で多様に捩られ及び／又は移動される様子を示す。例えば、カバー固定クリップ１００の前面図を示す図１１において、ワイヤ３６の最大回転角度θ１を超える回転が、左側１００ａにおいてはロック部１１０ａのロック爪ベース部１４０ａの下面１４４ａのエッジ１１４０ａの存在により防止され得て、そして、右側１００ｂにおいては、フック２００ｂの前方フック２２０ｂのエッジ１２２０ｂの存在により防止され得る様子が示されている。図１２に示すように、図１１に示した方向とは反対の方向における、ワイヤ３６の最大回転角度θ２を超える回転が、右側１００ｂにおいてはロック部１１０ｂのロック爪ベース部１４０ｂの下面１４４ｂのエッジ１１４０ｂの存在により防止され得て、そして、左側１００ａにおいては、フック２００ａの前方フック２２０ａのエッジ１２２０ａの存在により防止され得る。
【００３８】
カバー固定クリップ１００の底面図を示す図１３において、ワイヤ３６の最大回転角度θ３を超える回転が、左側１００ａにおいてはショルダ２６０ａのエッジ１２６０ａの存在により防止され得て、そして、右側１００ｂにおいては、フック２００ｂの前方フック２２０ｂの爪部２４０のエッジ１２４０ｂ（中心線軸１０２との交差部にて、爪部２４０の後ろに隠れている）の存在により防止され得る。図１４に示すように、図１３に示した方向とは反対の方向における、ワイヤ３６の最大回転角度θ４を超える回転が、右側１００ｂにおいてはショルダ２６０ｂのエッジ１２６０ｂの存在により防止され得て、そして、左側１００ａにおいては、フック２００ａの前方フック２２０ａの爪部２４０のエッジ１２４０ａにより防止され得る。
【００３９】
図１５（これもまたカバー固定クリップ１００の底面図を示す）において、ワイヤ３６の最大回転角度θ５を超える回転が、左側１００ａにおいてはショルダ２６０ａのエッジ１２６０ａの存在により防止され得て、そして、右側１００ｂにおいては、ガイド３００ｂの第２脚部３２０ｂの傾斜部３４０のエッジ１３４０ｂの存在により防止され得る。図１６に示すように、図１５に示した方向とは反対の方向における、ワイヤ３６の最大回転角度θ６を超える回転が、右側１００ｂにおいてはショルダ２６０ｂのエッジ１２６０ｂの存在により防止され得て、そして、左側１００ａにおいては、ガイド３００ａの第２脚部３２０ａのエッジ１３２０ａの存在により防止され得る。
【００４０】
図１７は、ワイヤが、捩れ又はその他の運動により、ワイヤ挿入口２７に直接隣接するワイヤ保持空洞部１７の部分に到達する様子を示す。図示のように、ガイド３００の傾斜部３４０及び第２脚部３２０の先端３３０が、ワイヤ３６が更に移動してワイヤ保持空洞部１７から外れ出ることを阻止する。図示のように、ワイヤはＸ軸方向に位置合わせされており、ワイヤ３６の更なる回転により、ワイヤ３６はカバー固定クリップ１００の別の特徴物と相互作用させられ得るが、上述のカバー固定クリップ１００の別の特徴物は、ワイヤ３６がワイヤ保持空洞部１７から外れ出るような点まで回転することを防止するようにつくられ得る。一態様において、最大回転角度θ１，θ２，θ３，θ４，θ５，θ６は、１５度よりも小さい角度に維持され得る。別の態様において、最大回転角度θ１，θ２，θ３，θ４，θ５，θ６は、１０度よりも小さい角度に維持され得る。別の態様において、最大回転角度θ１，θ２，θ３，θ４，θ５，θ６は、これらの値以外の、ワイヤ３６がワイヤ保持空洞部１７から外れ出る危険性のない範囲の値に維持され得る。提示した例は、カバー固定クリップ１００の、様々な状況における有用性を実証するためのものである。しかし、ワイヤ３６の、図示された面以外の面における回転も、カバー固定クリップ１００に組み込まれた、本明細書に記載した特徴物により抑制され得る。カバー固定クリップ１００の上述の特徴物（ショルダ２６０、第１突出部１５０、ガセット２７０、第２突出部２８０、又は、各々の任意の部分を含む）のいずれも、回転防止特徴物とみなされ得る。
【００４１】
ワイヤ３６は、湾曲部及びその他の非ストレート部を含み得る。また、カバー固定クリップ１００は、カバー３２から、カバー固定クリップ１００が外れてしまうような様々な方向から装着される場合もある。これらの理由により、カバー固定クリップ１００が、可能な限り多くの状況においてワイヤ上に確実に保持されることが有用であろう。また、カバー固定クリップ１００をワイヤ３６に確実に接続することにより、ワイヤ３６がカバー固定クリップ１００のワイヤ保持空洞部１７内又はその上で（例えば外部の力により）移動したときに生じる騒音のリスクを低減又は排除もできる。
【００４２】
図１８に本開示の一態様によるカバー固定クリップの変形例の左側面図を示す。本変形例では、左側の第２脚部３２０ａが右側の第２脚部３２０ｂよりも下方にオフセットして配置されると共に、傾斜部３４０が左側の第２脚部３２０ａの下面よりも下方に突出するように形成されている。また、傾斜部３４０は、下方に膨出する形状に形成され、上記態様と同様に、右側の第２脚部３２０ｂの下面に配置されている。そして、上記態様と同様に、左側の第２脚部３２０ａは、エッジ１３２０ａを画成し、傾斜部３４０は、エッジ１３４０ｂを画成して、それぞれ回転防止特徴物として機能する。
【００４３】
条件付き文言、例えば特に、「できる」（“ｃａｎ”）、「可能である」（“ｃｏｕｌｄ”）、「かもしれない」（“ｍｉｇｈｔ”）、「し得る」（“ｍａｙ”）が、別様に明記されていない限り、或いは、使用される文脈においてその他の意味に理解されるべき場合を除き、概して、幾つかの特徴、要素、及び／又はステップを、幾つかの態様は含むがその他の態様は含まないことを伝えるように意図されていることに留意されたい。従って、これらの条件付き文言は、概して、１以上の特定の態様に、特徴、要素、及び／又はステップが多少なりとも必要であること、又は、これらの特徴、要素、及び／又はステップが任意の特定の態様に含まれ又は実行されるべきかどうかを決定するための論理を、１以上の特定の態様が、ユーザーの入力又はプロンプティング（ｐｒｏｍｐｔｉｎｇ）の有無に関係なく必ず含むことを示唆するように意図されていない。
【００４４】
上述の態様が、単に実施可能な例に過ぎず、本開示の原理の明確な理解のために記載されたに過ぎないことを強調しておく。フローチャートにおけるプロセスの記載又はブロックのいずれも、特定の論理機能又はステップを実行するための１以上の実行可能な命令を含むモジュール、セグメント、又はコードの一部を表すものであり、また、代替的な実施形態も含まれ、これらの実施形態において、機能が含まれなくても、全く実行されなくてもよく、示された又は説明された順序とは異なる順序（含まれる機能に応じて、ほぼ同時か、又は逆の順序を含む）で機能が実行されてもよい。これらは、本開示の当業者により理解されるであろう。多くの変更及び改変が、上述の態様（単数又は複数）に、本開示の精神及び原理から逸脱せずに行われ得る。さらに、本開示の範囲が、以上に記載した全ての要素、特徴、及び態様の任意の及び全てのコンビネーション及びサブコンビネーションを包含することが意図されている。これらの改変及び変更の全てが、本開示の範囲内で本明細書に含まれることが意図されている。また、要素又はステップの個々の態様又は組合せに対する全ての可能な請求項が本開示により支持されることが意図されている。
【符号の説明】
【００４５】
１００  カバー固定クリップ
１１０  ロック部
１１６  ロック溝
１２０，１３０  ロック爪
１２２，１３２  先端部
１２４，１３４  ロック面
１２６，１３６  内面
１２８，１３８  アーム
１４０  ロック爪ベース部
１４２  上面
１４４  下面
１５０  第１突出部
１６０，１７０  ロックタブ
２００  フック
２１０  延在部
２１５  凹部
２２０  前方フック
２２５  凹部
２３０  ベース
２４０  爪部
２５０  逆フック
２５６  リブ
２６０  ショルダ
２７０  ガセット
２８０  第２突出部
２９０  オフセット距離
３００  ガイド
３０５  接続部
３１０  第１脚部
３２０  第２脚部
３３０  先端
３４０  傾斜部
１７  ワイヤ保持空洞部
２２，２３  ガイド面
２７  ワイヤ挿入口
３０  クッション
３２  カバー
３４  溝
３６  ワイヤ
４２  ロック端部材
４４  ロック溝
【図１】
2018183568.tif 000003
【図２】
2018183568.tif 000004
【図３】
2018183568.tif 000005
【図４】
2018183568.tif 000006
【図５】
2018183568.tif 000007
【図６】
2018183568.tif 000008
【図７】
2018183568.tif 000009
【図８】
2018183568.tif 000010
【図９】
2018183568.tif 000011
【図１０】
2018183568.tif 000012
【図１１】
2018183568.tif 000013
【図１２】
2018183568.tif 000014
【図１３】
2018183568.tif 000015
【図１４】
2018183568.tif 000016
【図１５】
2018183568.tif 000017
【図１６】
2018183568.tif 000018
【図１７】
2018183568.tif 000019
【図１８】
2018183568.tif 000020